(57)【特許請求の範囲】
【請求項１】
飛行機で目的地の空港に到着した後に荷物引き渡しコンベアによって送り出される複数の荷物の中からユーザによる荷物の探索を支援する荷物探索システムであって、
前記ユーザの顔写真を挟持する挟持部と、前記挟持部に設けられ、携帯端末と近距離無線による通信が可能な通信部を有し、該携帯端末のアプリケーションの画面上における前記ユーザの操作に応じて前記近距離無線により送信される音声発生指令に基づいて音声を発生する音声発生部とを有し、前記荷物に装着される写真付き荷物タグと、
前記目的地の空港内に存在し、前記アプリケーションの起動により前記写真付き荷物タグからの前記近距離無線の通信によって前記音声発生部の位置情報を取得しつつ前記位置情報をクラウドサーバに送信可能な前記ユーザの携帯端末と、
前記目的地とは別の空港内に存在し、前記アプリケーションの起動により前記写真付き荷物タグからの前記近距離無線の通信によって前記位置情報を取得しつつ前記位置情報を前記クラウドサーバに送信可能な前記ユーザの携帯端末とは別の携帯端末と、
を備え、
前記挟持部は、前記顔写真の表面側に設けられ透明性を有する表面側挟持部と、前記顔写真の裏面側に設けられ前記音声発生部を嵌合可能な凹部を有する裏面側挟持部とを有し、
前記音声発生部は、前記裏面側挟持部の前記凹部に嵌合されており、
前記通信部は、前記ユーザの携帯端末又は前記別の携帯端末に対して前記近距離無線により前記位置情報を送信し、
前記ユーザの携帯端末は、前記ユーザの携帯端末から伝送された前記位置情報、又は、前記別の空港に存在する前記別の携帯端末から伝送された前記位置情報を、前記クラウドサーバを経由して取得し、前記アプリケーションの画面上に探索対象の前記荷物の位置を表示することを特徴とする荷物探索システム。
【請求項２】
飛行機で目的地の空港に到着した後に荷物引き渡しコンベアによって送り出される複数の荷物の中からユーザによる荷物の探索を支援する荷物探索方法であって、
前記ユーザの顔写真を挟持する挟持部と、前記挟持部に設けられ、携帯端末と近距離無線による通信が可能な通信部を有し、前記携帯端末のアプリケーションの画面上における前記ユーザの操作に応じて前記近距離無線により送信される音声発生指令に基づいて音声を発生する音声発生部とを有し、探索対象の荷物に装着される写真付き荷物タグを前記荷物に設置する第１の工程と、
前記荷物引き渡しコンベアにて前記荷物を探索する際に前記アプリケーションを起動し、前記目的地の空港内に存在し、前記アプリケーションの起動により前記写真付き荷物タグからの前記近距離無線の通信によって前記音声発生部の位置情報を取得しつつ前記位置情報をクラウドサーバに送信可能な前記ユーザの携帯端末、又は、前記目的地とは別の空港内に存在し、前記アプリケーションの起動により前記写真付き荷物タグからの前記近距離無線の通信によって前記位置情報を取得しつつ前記位置情報を前記クラウドサーバに送信可能な前記ユーザの携帯端末とは別の携帯端末に対して前記近距離無線により前記音声発生部の位置情報を送信する第２の工程と、
前記ユーザの前記携帯端末から伝送された前記位置情報、又は、前記別の空港に存在する前記別の前記携帯端末から伝送された前記位置情報を、前記クラウドサーバを経由して取得し、前記アプリケーションの画面上に探索対象の前記荷物の位置を前記ユーザの携帯端末に表示する第３の工程と、
を備えることを特徴とする荷物探索方法。
【発明の詳細な説明】
【技術分野】
【０００１】
本発明は、写真付き荷物タグに関する。
【背景技術】
【０００２】
従来、荷物を収容する鞄などが開発されて販売されている。飛行機を使って出張や旅行などに出かける際にスーツケースなどの大きな鞄を使用することがあるが、機内に持ち込まずに預けることがある。飛行機では、大量の荷物が預けられており、目的地に到着後、荷物引き渡しコンベアによって荷物が送り出されてきたものを取り出す必要がある。
【０００３】
本発明に関連する技術として、例えば、特許文献１には、基材層の表面側に感熱材層を有するとともに裏面側に粘着剤層を介して剥離紙を積層してなる荷物タグにおいて、剥離紙の表面にＩＣタグインレットが貼着され、そのＩＣタグインレットを囲むようにして剥離紙にスリットが形成されていることを特徴とする荷物タグが開示されている。
【先行技術文献】
【特許文献】
【０００４】
【特許文献１】特開２００８−３０５１２５号公報
【発明の概要】
【発明が解決しようとする課題】
【０００５】
スーツケースは形や色などが似たようなものがあるため、取り違えなどが発生することがあり、自分のものを探すのに苦労することがある。
【０００６】
本発明の目的は、多くの荷物の中から自分の荷物を容易に探し出すことができる荷物タグを提供することである。
【課題を解決するための手段】
【０００７】
本発明に係る荷物探索システムは、飛行機で目的地の空港に到着した後に荷物引き渡しコンベアによって送り出される複数の荷物の中からユーザによる荷物の探索を支援する荷物探索システムであって、前記ユーザの顔写真を挟持する挟持部と、前記挟持部に設けられ、携帯端末と近距離無線による通信が可能な通信部を有し、該携帯端末のアプリケーションの画面上における前記ユーザの操作に応じて前記近距離無線により送信される音声発生指令に基づいて音声を発生する音声発生部とを有し、前記荷物に装着される写真付き荷物タグと、前記目的地の空港内に存在し、前記アプリケーションの起動により前記写真付き荷物タグからの前記近距離無線の通信によって前記音声発生部の位置情報を取得しつつ前記位置情報をクラウドサーバに送信可能な前記ユーザの携帯端末と、前記目的地とは別の空港内に存在し、前記アプリケーションの起動により前記写真付き荷物タグからの前記近距離無線の通信によって前記位置情報を取得しつつ前記位置情報を前記クラウドサーバに送信可能な前記ユーザの携帯端末とは別の携帯端末と、を備え、前記挟持部は、前記顔写真の表面側に設けられ透明性を有する表面側挟持部と、前記顔写真の裏面側に設けられ前記音声発生部を嵌合可能な凹部を有する裏面側挟持部とを有し、前記音声発生部は、前記裏面側挟持部の前記凹部に嵌合されており、前記通信部は、前記ユーザの携帯端末又は前記別の携帯端末に対して前記近距離無線により前記位置情報を送信し、前記ユーザの携帯端末は、前記ユーザの携帯端末から伝送された前記位置情報、又は、前記別の空港に存在する前記別の携帯端末から伝送された前記位置情報を、前記クラウドサーバを経由して取得し、前記アプリケーションの画面上に探索対象の前記荷物の位置を表示することを特徴とする。
【０００８】
また、本発明に係る荷物探索方法は、飛行機で目的地の空港に到着した後に荷物引き渡しコンベアによって送り出される複数の荷物の中からユーザによる荷物の探索を支援する荷物探索方法であって、前記ユーザの顔写真を挟持する挟持部と、前記挟持部に設けられ、携帯端末と近距離無線による通信が可能な通信部を有し、前記携帯端末のアプリケーションの画面上における前記ユーザの操作に応じて前記近距離無線により送信される音声発生指令に基づいて音声を発生する音声発生部とを有し、探索対象の荷物に装着される写真付き荷物タグを前記荷物に設置する第１の工程と、前記荷物引き渡しコンベアにて前記荷物を探索する際に前記アプリケーションを起動し、前記目的地の空港内に存在し、前記アプリケーションの起動により前記写真付き荷物タグからの前記近距離無線の通信によって前記音声発生部の位置情報を取得しつつ前記位置情報をクラウドサーバに送信可能な前記ユーザの携帯端末、又は、前記目的地とは別の空港内に存在し、前記アプリケーションの起動により前記写真付き荷物タグからの前記近距離無線の通信によって前記位置情報を取得しつつ前記位置情報を前記クラウドサーバに送信可能な前記ユーザの携帯端末とは別の携帯端末に対して前記近距離無線により前記音声発生部の位置情報を送信する第２の工程と、前記ユーザの前記携帯端末から伝送された前記位置情報、又は、前記別の空港に存在する前記別の前記携帯端末から伝送された前記位置情報を、前記クラウドサーバを経由して取得し、前記アプリケーションの画面上に探索対象の前記荷物の位置を前記ユーザの携帯端末に表示する第３の工程と、を備えることを特徴とする。
【発明の効果】
【００１０】
本発明によれば、自分の荷物を簡単に探し出すことが出来る。
【図面の簡単な説明】
【００１１】
【図１】本発明に係る実施形態の写真付き荷物タグを示す図である。
【図２】本発明に係る実施形態において、写真付き荷物タグの音声発生部の構成を示す図である。
【図３】本発明に係る実施形態において、写真付き荷物タグの音声発生部と通信可能な携帯端末の表示画面を示す図である。
【発明を実施するための形態】
【００１２】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１３】
図１は、本発明に係る実施形態の写真付き荷物タグ１０を示す図である。図１（ａ）は、写真付き荷物タグ１０の正面側から見た斜視図であり、図１（ｂ）は、写真付き荷物タグ１０の背面図である。
【００１４】
図２は、写真付き荷物タグ１０の音声発生部２０の構成を示す図である。図３は、写真付き荷物タグ１０の音声発生部２０と通信可能な携帯端末３０の表示画面を示す図である。
【００１５】
図３（ａ）は、荷物を探す際に操作を行う操作画面が表示されており、図３（ｂ）は、探している荷物の位置を地図上に表示している様子を示している。
【００１６】
写真付き荷物タグ１０は、探索対象の荷物に装着されて、ユーザによる荷物の探索を支援する機能を有する。写真付き荷物タグ１０は、挟持部１２と、写真１８と、音声発生部２０とを備えている。
【００１７】
探索対象の荷物とは、鍵や鞄など様々なものに設定することが出来るが、ここでは、飛行機を使って出張や旅行などに出かける際にスーツケースなどの大きな鞄であるものとして説明する。
【００１８】
挟持部１２は、ユーザの写真１８を挟持する機能を有する。写真１８は、図１（ａ）に示されるように、ユーザの顔が良く分かるような顔写真が好ましい。写真１８の用紙の種類としては、様々なものが存在するが、例えば、印画紙、光沢紙、マット紙などを用いることが出来るが、もちろん、その他のものを用いてもよい。
【００１９】
挟持部１２は、写真１８の表面側に設けられ透明性を有する表面側挟持部１４と、写真１８の裏面側に設けられ音声発生部２０を嵌合可能な凹部１６ａを有する裏面側挟持部１６とを備える。表面側挟持部１４と裏面側挟持部１６とは、図１（ａ）に示されるように、貼り合わせることが可能な略同一形状を有している。
【００２０】
表面側挟持部１４は、所定の厚みを有する略平板形状を有しており、図１（ａ）に示されるように、角部には荷物などへの装着に用いるリング状の紐部１５を取り付けるための貫通孔が形成された突起部が設けられている。
【００２１】
表面側挟持部１４は、アクリル酸エステルあるいはメタクリル酸エステルの重合体で、透明性の高い非晶質の合成樹脂であるアクリル樹脂を用いて構成することが好ましいが、裏面側挟持部１６との間に挟持された写真１８が視認可能なように透明性を有する材質であれば、その他の材料を用いてもよい。
【００２２】
裏面側挟持部１６は、上記のように、表面側挟持部１４と対となるような同一形状を有している。裏面側挟持部１６は、表面側挟持部１４と同様に透明性を有するアクリル樹脂を用いて形成してもよいが、写真１８の裏面側であり、顔写真を視認させる必要がないため、透明性を有しない、着色された樹脂で形成してもよい。
【００２３】
裏面側挟持部１６は、図２に示されるように、略中央部に略正方形の凹部１６ａが形成されている。凹部１６ａは、音声発生部２０を嵌合するために、音声発生部２０の表面積と略同一の孔面積を有し、かつ、音声発生部２０の厚みと略同一の深さを有している。
【００２４】
音声発生部２０は、携帯端末３０と通信可能な通信部２４を有し、挟持部１２の裏面側挟持部１６に嵌合可能な装置である。音声発生部２０は、図示しない電池等から供給される電力を用いて作動する。
【００２５】
携帯端末３０は、音声発生部２０と近距離無線による通信が可能な機能を有するスマートフォンやタブレット端末である。ここで、近距離無線による通信とは、例えば、ブルートゥース（登録商標）などの無線規格を適用することができる。
【００２６】
通信部２４は、ユーザの携帯端末３０に対して音声発生部２０の位置情報を送信する。また、ユーザの携帯端末３０だけでなく、ブルートゥース（登録商標）などの近距離無線による通信を行える端末であれば、ユーザ以外の人の携帯端末３０等と通信することが出来る。すなわち、通信部２４は、ユーザとは別の人の携帯端末３０に対しても音声発生部２０の位置情報を送信する。
【００２７】
携帯端末３０は、ハードウェアとソフトウェアとを備えて構成されており、荷物探索用ソフトウェア（アプリケーションソフトウェア）が動作することによって様々な機能を実現することが出来る。
【００２８】
例えば、携帯端末３０において荷物探索用ソフトウェアを起動し、図３（ａ）に示されるように、探索画面を表示させて、「見つける」といった操作釦３２を操作すると、ブルートゥース（登録商標）などの近距離無線によって音声発生指令が音声発生部２２に対して送信される。
【００２９】
この音声発生指令を音声発生部２２の通信部２４が受信すると、音声発生部２２は、マイク２１を介して、ユーザが荷物の探索をしやすいような音声やメロディを流す機能を有している。
【００３０】
また、携帯端末３０のアプリケーションソフトウェアである荷物探索用ソフトウェアにおいて、図３（ｂ）に示されるように、携帯端末３０の表示画面上に探索対象の荷物位置情報３４を表示することが出来る。
【００３１】
例えば、音声発生部２０の位置情報が携帯端末３０に送信されると、この位置情報に基づいて、荷物が位置する場所の周辺の地図情報を表示するとともに、当該荷物の場所を識別可能な状態（例えば、色付きや点滅など目印を付加した荷物位置情報３４）で表示する。
【００３２】
また、上記のように、ユーザの携帯端末３０に送信された位置情報以外の情報を用いて、荷物の場所を表示してもよい。例えば、ユーザの携帯端末３０が当該荷物に装着された写真付き荷物タグ１０と近距離無線通信ができない位置に離れてしまった場合に、ユーザとは異なる人で、当該写真付き荷物タグ１０の近くに位置して近距離無線通信が可能な携帯端末３０に送信した位置情報についてクラウドサーバ等を経由して取得し、ユーザの携帯端末３０の荷物探索用ソフトウェアで表示できるようにすることも可能である。
【００３３】
続いて、上記構成の写真付き荷物タグ１０の作用効果について説明する。ユーザは日常生活において、様々な探し物を行うことがあり、写真付き荷物タグ１０が活躍する場面が多いが、ここでは、飛行機を用いた旅行や出張などの際に使うスーツケースに写真付き荷物タグ１０を装着した場合について説明する。
【００３４】
スーツケースなどの大きな鞄は、飛行機の機内に持ち込まずに預けることがある。この場合、飛行機で目的地に到着した後、荷物引き渡しコンベアによって荷物が送り出されてきたものをユーザが探し出して取り出す必要がある。
【００３５】
写真付き荷物タグ１０から近距離無線通信によりユーザの携帯端末３０に位置情報が表示されると、携帯端末３０の荷物探索用ソフトウェアを起動して、荷物の位置情報を表示するように操作すると、図３（ｂ）に示されるように、携帯端末３０の表示画面上に地図に重ねて荷物位置情報３４を表示する。これにより、ユーザは自分の近くに荷物があることを確認することができる。
【００３６】
また、荷物（スーツケース）が荷物引き渡しコンベアに乗って運ばれてくると、スーツケースに吊下げられた写真付き荷物タグ１０の表面側には、ユーザの顔写真（写真１８）が表示されているため、似たようなスーツケースの中からユーザは簡単に見つけ出すことが出来る。また、ユーザの顔写真が表示されているため、他人が荷物を取り違えてしまうことも抑制することが出来る。
【００３７】
さらに、ユーザの顔写真をすぐに見つけることが出来ない場合に、ユーザは携帯端末３０の荷物探索用ソフトウェアで、図３（ａ）に示されるように、荷物探索画面を表示し、「見つける」の操作釦３２を操作することで、音声発生指令が写真付き荷物タグ１０に送信されて、写真付き荷物タグ１０から音声やメロディが流れるため、ユーザは荷物を容易に探し出すことが出来る。
【００３８】
このように、写真付き荷物タグ１０を用いることで、顔写真を用いることや音声を用いることで、ユーザは素早く荷物を探し出すことができるという顕著な効果を奏する。
【００３９】
なお、飛行機で旅行や出張に出かけて荷物を預ける際に、目的地とは異なる場所に届いてしまい、ユーザが荷物引き渡しコンベアで待っていても荷物が一向に届かないといったアクシデントに遭遇することがある。
【００４０】
しかしながら、写真付き荷物タグ１０によれば、ユーザ以外の携帯端末３０にも近距離無線通信によって位置情報を送信することが出来るため、この携帯端末３０に送信された位置情報がクラウドサーバ上に提供され、クラウドサーバを経由して取得した位置情報に基づいてユーザの携帯端末３０の画面上で荷物の位置を確認することができる。例えば、ユーザの目的地が関西空港であったときに、荷物が誤って成田空港に到着しているといったことも確認することができるという利点がある。
【符号の説明】
【００４１】
１０  荷物タグ、１２  挟持部、１４  表面側挟持部、１５  紐部、１６  裏面側挟持部、１６ａ  凹部、１８  写真、２０  音声発生部、２１  マイク、２２  音声発生部、２４  通信部、３０  携帯端末、３２  操作釦、３４  荷物位置情報。
【図１】
0006912838.tif 000002
【図２】
0006912838.tif 000003
【図３】
0006912838.tif 000004